(57)【要約】  【課題】  形状及び構造が簡単であるにもかかわらず、目詰まりが発生し難い着脱自在な残菜フィルタを備え、製造コストを低減し、且つポンプの洗浄水吸い込み能力が低下せず、洗浄能力を高めた食器洗い機を提供する。  【解決手段】  残菜フィルタ４は、貯水槽３の傾斜面２ｂに当接する第１の端部４１と、該第１の端部４１とは反対側の端部に相当しポンプ５の吸込口５１に近い第２の端部４２と、傾斜面２ｂから吸込口５１への水流に抗するように、第１の端部４１と第２の端部４２との間に設けられた遮流板４３とを備えている。【選択図】      図１
2006304991.tif 000002
【特許請求の範囲】
【請求項１】
内部に収容された食器に向けて洗浄ノズルより洗浄水を噴射して食器を洗浄する洗浄槽と、該洗浄槽の底部に溜まった洗浄水を吸込口から吸い込み、吸い込んだ洗浄水を前記洗浄槽内で循環させるポンプと、平面視で略矩形状を有し、前記洗浄槽の底面より上方に着脱自在に配置され、洗浄水の噴射により食器から分離し、前記吸込口に向かって洗浄水とともに移動する残菜を捕集する残菜フィルタとを備える食器洗い機において、
前記洗浄槽の底部は、前記底面から斜め上方に前記底面に対して鈍角をなして延伸し、前記吸込口と平面的に対向して形成された傾斜面を有し、
前記残菜フィルタは、前記傾斜面に当接する第１の端部と、前記吸込口に近い第２の端部と、前記傾斜面から前記吸込口への水流に抗するように、前記第１の端部と前記第２の端部との間に設けられた遮流板とを備えることを特徴とする食器洗い機。
【請求項２】
前記遮流板は、メッシュ状に形成された穴を備えることを特徴とする請求項１記載の食器洗い機。
【請求項３】
内部に収容された食器に向けて洗浄ノズルより洗浄水を噴射して食器を洗浄する洗浄槽と、該洗浄槽の底部に溜まった洗浄水を吸込口から吸い込み、吸い込んだ洗浄水を前記洗浄槽内で循環させるポンプと、平面視で略矩形状を有し、前記洗浄槽の底面より上方に着脱自在に配置され、洗浄水の噴射により食器から分離し、前記ポンプの吸込口に向かって洗浄水とともに移動する残菜を捕集する残菜フィルタとを備える食器洗い機において、
前記洗浄槽の底部は、前記底面から斜め上方に前記底面に対して鈍角をなして延伸し、前記吸込口と平面的に対向して形成された傾斜面を有し、
前記残菜フィルタは、前記傾斜面に当接する第１の端部と、前記吸込口に近い第２の端部と、前記第２の端部のほうが前記第１の端部よりも高く、前記傾斜面から前記吸込口への水流に抗するように、前記第１の端部と前記第２の端部との間に形成された段差とを備えることを特徴とする食器洗い機。
【発明の詳細な説明】
【技術分野】
【０００１】
本発明は、洗浄ノズルより食器に向けて洗浄水を噴射して食器を洗浄する際に、食器から分離した残菜を捕集する残菜フィルタを備える食器洗い機に関する。
【背景技術】
【０００２】
食器洗い機は、洗浄槽内の底部の貯水部に貯留した洗浄水を食器籠に載置した食器に向けて洗浄ノズルより噴射し、食器に付着した残菜を洗い流す機構を有し、一度洗い流した残菜が洗浄水に混入して食器に向けて噴射され、食器に再付着することを防止するために、食器から分離した残菜を捕集する残菜フィルタを備えている。洗浄水の貯水部には、ポンプの吸込口が設けられ、ポンプの吸込口より上方に残菜フィルタが取外し自在に装着されている。
【０００３】
残菜フィルタは、メッシュ状に形成された穴を有し、該穴に残菜が詰まった場合、上記ポンプの洗浄水吸い込み能力が低下し、食器洗い機の洗浄能力が低下することになる。
【０００４】
この問題を回避するため、目詰まりが発生したときに残菜フィルタの清掃のための着脱が簡単な構造を有する残菜フィルタが提案されている。また、目詰まりの発生を極力抑えるために、穴の大きさがそれぞれ異なる３つのフィルタ構造を有し、フィルタの表面積を大きくした残菜フィルタが提案されている（例えば、特許文献１参照）。
【特許文献１】特開２００２−２０９８２５号公報
【発明の開示】
【発明が解決しようとする課題】
【０００５】
しかし、清掃のための着脱が簡単な構造を有しているが、目詰まりの発生頻度が高い残菜フィルタでは、目詰まりが発生する都度、使用者が残菜フィルタを取り外して清掃し再び装着する必要があり、使用者にとって労苦が多く、利便性の点で好ましいものではない。
【０００６】
また、特許文献１に開示されている残菜フィルタは、穴の大きさがそれぞれ異なる３つのフィルタという複雑な形状及び構造を有するため、製造コストが高くなるという問題点がある。
【０００７】
本発明は、斯かる事情に鑑みてなされたものであり、その目的は、形状及び構造が簡単であるにもかかわらず、目詰まりが発生し難い着脱自在な残菜フィルタを備え、製造コストを低減し、且つポンプの洗浄水吸い込み能力が低下せず、洗浄能力を高めた食器洗い機を提供することにある。
【０００８】
本発明の他の目的は、ポンプの吸込口への洗浄水の流れを円滑にすることで、洗浄能力を更に高めた食器洗い機を提供することにある。
【０００９】
本発明の更なる他の目的は、ポンプの吸込口への洗浄水の流れを円滑にすることで、洗浄能力を更に高めるとともに、残菜フィルタの形状及び構造を更に簡単にすることで、製造コストを低減した食器洗い機を提供することにある。
【課題を解決するための手段】
【００１０】
前記目的を達成するため、本発明に係る食器洗い機は、内部に収容された食器に向けて洗浄ノズルより洗浄水を噴射して食器を洗浄する洗浄槽と、該洗浄槽の底部に溜まった洗浄水を吸込口から吸い込み、吸い込んだ洗浄水を前記洗浄槽内で循環させるポンプと、平面視で略矩形状を有し、前記洗浄槽の底面より上方に着脱自在に配置され、洗浄水の噴射により食器から分離し、前記吸込口に向かって洗浄水とともに移動する残菜を捕集する残菜フィルタとを備える食器洗い機において、前記洗浄槽の底部は、前記底面から斜め上方に前記底面に対して鈍角をなして延伸し、前記吸込口と平面的に対向して形成された傾斜面を有し、前記残菜フィルタは、前記傾斜面に当接する第１の端部と、前記吸込口に近い第２の端部と、前記傾斜面から前記吸込口への水流に抗するように、前記第１の端部と前記第２の端部との間に設けられた遮流板とを備えることを特徴とする。
【００１１】
本発明にあっては、食器から分離した比較的重い残菜は、洗浄槽の底部の傾斜面に沿って下方へと洗浄水と共に移動するが、傾斜面に当接する第１の端部からポンプの吸込口への水流に抗する遮流板により移動が抑止されて堆積し、吸込口に近い第２の端部付近には堆積し難くなることで、ポンプの洗浄水吸い込み能力が低下しない。
【００１２】
また、本発明に係る食器洗い機は、前記遮流板は、メッシュ状に形成された穴を備えることを特徴とする。
【００１３】
本発明にあっては、前記遮流板は、メッシュ状に形成された穴を備えているため、傾斜面に当接する第１の端部からポンプの吸込口への洗浄水の流れを円滑にすることで、洗浄能力を更に高めることが可能となる。
【００１４】
更に、本発明に係る食器洗い機は、内部に収容された食器に向けて洗浄ノズルより洗浄水を噴射して食器を洗浄する洗浄槽と、該洗浄槽の底部に溜まった洗浄水を吸込口から吸い込み、吸い込んだ洗浄水を前記洗浄槽内で循環させるポンプと、平面視で略矩形状を有し、前記洗浄槽の底面より上方に着脱自在に配置され、洗浄水の噴射により食器から分離し、前記ポンプの吸込口に向かって洗浄水とともに移動する残菜を捕集する残菜フィルタとを備える食器洗い機において、前記洗浄槽の底部は、前記底面から斜め上方に前記底面に対して鈍角をなして延伸し、前記吸込口と平面的に対向して形成された傾斜面を有し、前記残菜フィルタは、前記傾斜面に当接する第１の端部と、前記吸込口に近い第２の端部と、前記第２の端部のほうが前記第１の端部よりも高く、前記傾斜面から前記吸込口への水流に抗するように、前記第１の端部と前記第２の端部との間に形成された段差とを備えることを特徴とする。
【００１５】
本発明にあっては、食器から分離した比較的重い残菜は、洗浄槽の底部の傾斜面に沿って下方へと洗浄水と共に移動するが、傾斜面に沿う第１の端部からポンプの吸込口への水流に抗する段差により移動が抑止されて堆積し、ポンプの吸込口に近く第１の端部よりも高い第２の端部付近には堆積し難くなることで、ポンプの洗浄水吸い込み能力が低下しない。
【発明の効果】
【００１６】
本発明によれば、形状及び構造が簡単であるにもかかわらず、目詰まりが発生し難い着脱自在な残菜フィルタを備えているので、製造コストを低減し、且つポンプの洗浄水吸い込み能力が低下せず、洗浄能力を高めることが可能となる。
【００１７】
また、残菜フィルタの第１の端部からポンプの吸込口への洗浄水の流れを円滑にすることで、洗浄能力を更に高めることが可能となる。
【００１８】
更に、残菜フィルタの第１の端部からポンプの吸込口への洗浄水の流れを円滑にすることで、洗浄能力を更に高めることが可能となるとともに、残菜フィルタの形状及び構造を更に簡単にすることで、製造コストを低減することが可能となる。
【発明を実施するための最良の形態】
【００１９】
以下、本発明をその実施の形態を示す図面に基づいて詳述する。
（実施の形態１）
図１は、本発明の実施の形態１に係る食器洗い機の要部構成を示す正面部分断面図であり、図２は、本発明の実施の形態１に係る食器洗い機に装着される残菜フィルタの構成例を示す斜視図である。なお、図１において、本発明の特徴的構成についてのみ図示し、その他の構成については、図面の明瞭化のため図示していない。
【００２０】
食器洗い機は、筐体１の内部に設けられ、収容された食器（図示せず）に向けて洗浄ノズルにより洗浄水を噴射して食器を洗浄する洗浄槽２と、洗浄槽２の底部（以下、貯水部３という）に溜まった洗浄水を吸い込み、吸い込んだ洗浄水を洗浄槽２内で循環させるポンプ５と、平面視で略矩形状を有し、洗浄槽２の底面２ａより上方に着脱自在に配置され、洗浄水の噴射により食器から分離し、ポンプ５の吸込口５１に向かって洗浄水とともに移動する残菜を捕集する残菜フィルタ４とを備えている。
【００２１】
洗浄槽２の貯水部３は、正面視で底面２ａの略中間より右側から左上方へと延伸する傾斜面２ｂを有している。また、貯水部３の底面２ａの前方右側面付近には、傾斜面２ｂの下方へと洗浄水を吸い込む吸込口５１が形成されている。該吸込口５１は、底面２ａの下方から後方へと延伸する吸込管により、底面２ａの下方で後方右側に配置されたポンプ５に連通している。
【００２２】
残菜フィルタ４は、平面視で略矩形状を有し、洗浄水を流通させて残菜を捕集するメッシュ状の網部４０と、貯水部３の傾斜面２ｂからポンプ５の吸込口５１へと流れる洗浄水に抗するように、左端部（第１の端部）４１から右端部（第２の端部）４２への長手方向の略中間に設けられた遮流板４３と、右端部４２の前方に配設され、残菜フィルタ４の着脱を行うための把手部４４とを備えている。残菜フィルタ４は、後端部を洗浄槽２のリム部（図示せず）に押し込み、左端部４１を傾斜面２ｂに当接させ、右端部４２を洗浄槽２ポンプ５の吸込口５１に近い貯水部３の右側面に当接させるようにして、装着される。
【００２３】
この構成により、洗浄水の噴射により食器から分離した比較的重い残菜（例えば、米粒等）は、貯水部３の傾斜面２ｂに沿って下方へと洗浄水と共に移動するが、傾斜面２ｂから吸込口５１への水流に抗する遮流板４３により移動が抑止されて堆積し、吸込口５１に近い第２の端部４２付近には堆積し難くなる。
【００２４】
これにより、残菜フィルタ４の形状及び構造が簡単であるにもかかわらず、ポンプ５の吸込口５１に近い右端部４２付近には目詰まりが発生し難く、製造コストを低減し、且つポンプ５の洗浄水吸い込み能力が低下せず、洗浄能力を高めることが可能となる。
【００２５】
（実施の形態２）
図３は、本発明の実施の形態２に係る食器洗い機の要部構成を示す正面部分断面図であり、図４は、本発明の実施の形態２に係る食器洗い機に装着される残菜フィルタの構成例を示す斜視図である。なお、図３において、本発明の特徴的構成についてのみ明示し、その他の構成については、図面の明瞭化のため図示していない。また、実施の形態１と同様の構成を有する部分については、同一の符号を付し、以下では主に実施の形態１との相違点について説明する。
【００２６】
本実施の形態における残菜フィルタ１４は、実施の形態１における遮流板４３と同じ外形寸法を有し、メッシュ状に穴が形成された遮流板１４３を備えている。その他の構成は実施の形態１と同様である。
【００２７】
この構成により、実施の形態１による利点に加えて、残菜フィルタ１４の第１の端部４１からポンプ５の吸込口５１への洗浄水の流れが実施の形態１に比べて円滑になり、洗浄能力を更に高めることが可能となる。
【００２８】
（実施の形態３）
図５は、本発明の実施の形態３に係る食器洗い機の要部構成を示す正面部分断面図であり、図６は、本発明の実施の形態３に係る食器洗い機に装着される残菜フィルタの構成例を示す斜視図である。なお、図５において、本発明の特徴的構成についてのみ明示し、その他の構成については、図面の明瞭化のため図示していない。また、実施の形態１と同様の構成を有する部分については、同一の符号を付し、以下では主に実施の形態１との相違点について説明する。
【００２９】
本実施の形態における残菜フィルタ２４は、平面視で略矩形状を有し、洗浄水を流通させて残菜を捕集するメッシュ状の網部２４０と、右端部（第２の端部）２４２の前方に配設され、残菜フィルタ４の着脱を行うための把手部２４４とを備えている。残菜フィルタ２４の網部２４０は、右端部２４２のほうが左端部（第１の端部）２４１よりも高く、貯水部３の傾斜面２ｂからポンプ５の吸込口５１へと流れる洗浄水に抗するように、左端部２４１から右端部２４２への長手方向の略中間に形成された段差２４３を有する。
【００３０】
この構成により、洗浄水の噴射により食器から分離した比較的重い残菜（例えば、米粒等）は、洗浄槽２の貯水部３の傾斜面２ｂに沿って下方へと洗浄水と共に移動するが、傾斜面２ｂからポンプ５の吸込口５１への水流に抗する段差２４３により移動が抑止されて段差下網部２４３ａに堆積し、吸込口５１に近い段差上網部２４３ｂには堆積し難くなる。
【００３１】
これにより、実施の形態２における遮流板１４３を削除し、網部２４０を長手方向で段差形状に加工することで、残菜フィルタの形状及び構造を更に簡単にしたにもかかわらず、ポンプ５の吸込口５１に近い段差上網部２４３ｂに目詰まりが発生し難く、製造コストを更に低減し、左端部２４１から吸込口５１への洗浄水の流れを円滑にすることで、洗浄能力を更に高めることが可能となる。
【図面の簡単な説明】
【００３２】
【図１】本発明の実施の形態１に係る食器洗い機の要部構成を示す正面部分断面図である。
【図２】本発明の実施の形態１に係る食器洗い機に装着される残菜フィルタの構成例を示す斜視図である。
【図３】本発明の実施の形態２に係る食器洗い機の要部構成を示す正面部分断面図である。
【図４】本発明の実施の形態２に係る食器洗い機に装着される残菜フィルタの構成例を示す斜視図である。
【図５】本発明の実施の形態３に係る食器洗い機の要部構成を示す正面部分断面図である。
【図６】本発明の実施の形態３に係る食器洗い機に装着される残菜フィルタの構成例を示す斜視図である。
【符号の説明】
【００３３】
１  筐体
２  洗浄槽
３  貯水部
４  残菜フィルタ
５  ポンプ
１４  残菜フィルタ
２４  残菜フィルタ
４０  網部
４１  左端部（第１の端部）
４２  右端部（第２の端部）
４３  遮流板
４４  把手部
１４３  遮流板
２４０  網部
２４１  左端部（第１の端部）
２４２  右端部（第２の端部）
２４３  段差
２４４  把手部
２４３ａ  段差下網部
２４３ｂ  段差上網部
【図１】
2006304991.tif 000003
【図２】
2006304991.tif 000004
【図３】
2006304991.tif 000005
【図４】
2006304991.tif 000006
【図５】
2006304991.tif 000007
【図６】
2006304991.tif 000008